(57)【要約】【課題】暖房運転の低負荷時に、逆放熱を知らせる警報表示装置を備えた吸収ヒートポンプを提供すること。【解決手段】再生器１、凝縮器２、蒸発器３、吸収器４を管接続して冷媒循環路及び吸収液循環路を設けると共に冷媒ポンプ９及び吸収液ポンプ１７を設置し、再生器１内を通過する駆動熱源管５を設けると共に、蒸発器３内を通過する熱源水管１２を設け、更に吸収器４内を通過した後に凝縮器２内を通過して負荷に接続された温水管７を設けた吸収ヒートポンプにおいて、前記熱源水管１２における蒸発器３より上流側に熱源水入口温度を検知する熱源水入口側温度センサ１３を設けると共に、蒸発器３より下流側に熱源水出口温度を検知する熱源水出口側温度センサ１４を設ける。この場合は、前記熱源水出口温度が熱源水入口温度よりも高くなった時に逆放熱を知らせる警報表示装置２０を備える。【選択図】図１
2010078296.tif 000002
【特許請求の範囲】
【請求項１】
再生器、凝縮器、蒸発器、吸収器を管接続して冷媒循環路及び吸収液循環路を設けると共に冷媒ポンプ及び吸収液ポンプを設置し、前記再生器内を通過する駆動熱源管を設けると共に、前記蒸発器内を通過する熱源水管を設け、更に前記吸収器内を通過した後に前記凝縮器内を通過して負荷に接続された温水管を設けた吸収ヒートポンプにおいて、
前記熱源水管における蒸発器より上流側に熱源水入口温度を検知する熱源水入口側温度センサを設けると共に、蒸発器より下流側に熱源水出口温度を検知する熱源水出口側温度センサを設け、前記熱源水出口温度が熱源水入口温度よりも高くなった時に、逆放熱を知らせる警報表示装置を備えたことを特徴とする吸収ヒートポンプ。
【請求項２】
再生器、凝縮器、蒸発器、吸収器を管接続して冷媒循環路及び吸収液循環路を設けると共に冷媒ポンプ及び吸収液ポンプを設置し、前記再生器内を通過する駆動熱源管を設けると共に、前記蒸発器内を通過する熱源水管を設け、更に前記吸収器内を通過した後に前記凝縮器内を通過して負荷に接続された温水管を設けた吸収ヒートポンプにおいて、
前記熱源水管における蒸発器より上流側に熱源水入口温度を検知する熱源水入口側温度センサを設けると共に、前記温水管における吸収器より上流側に温水入口温度を検知する温水入口側温度センサを設け、前記熱源水入口温度が温水入口温度よりも一定温度以上低くなった時に、逆放熱を知らせる警報表示装置を備えたことを特徴とする吸収ヒートポンプ。
【請求項３】
再生器、凝縮器、蒸発器、吸収器を管接続して冷媒循環路及び吸収液循環路を設けると共に冷媒ポンプ及び吸収液ポンプを設置し、前記再生器内を通過する駆動熱源管を設けると共に、前記蒸発器内を通過する熱源水管を設け、更に前記吸収器内を通過した後に前記凝縮器内を通過して負荷に接続された温水管を設けた吸収ヒートポンプにおいて、
前記蒸発器の底部に溜まる冷媒液の温度を検知する冷媒液温度センサと、前記吸収器の底部に溜まる稀吸収液の温度を検知する稀吸収液温度センサを設け、前記蒸発器の冷媒液温度が吸収器の稀吸収液温度よりも一定温度以上低くなった時に、逆放熱を知らせる警報表示装置を備えたことを特徴とする吸収ヒートポンプ。
【請求項４】
再生器、凝縮器、蒸発器、吸収器を管接続して冷媒循環路及び吸収液循環路を設けると共に冷媒ポンプ及び吸収液ポンプを設置し、前記再生器内を通過する駆動熱源管を設けると共に、前記蒸発器内を通過する熱源水管を設け、更に前記吸収器内を通過した後に前記凝縮器内を通過して負荷に接続された温水管を設けた吸収ヒートポンプにおいて、
前記蒸発器の底部に溜まる冷媒液の温度を検知する冷媒液温度センサと、前記吸収器の底部に溜まる稀吸収液の温度を検知する稀吸収液温度センサと、前記熱源水管における蒸発器より上流側に熱源水入口温度を検知する熱源水入口側温度センサと、前記温水管における吸収器より上流側に温水入口温度を検知する温水入口側温度センサとを設け、前記蒸発器の冷媒液温度と吸収器の稀吸収液温度から吸収器における稀吸収液濃度を算出し、この稀吸収液濃度をパラメータとして、熱源水入口温度と温水入口温度との関係から逆放熱を知らせる警報表示装置を備えたことを特徴とする吸収ヒートポンプ。
【請求項５】
前記再生器内へ駆動熱源を循環する駆動熱源ポンプを停止させると共に、所定時間の稀釈運転を行って停止することを特徴とする請求項１乃至４のいずれかに記載の吸収ヒートポンプ。
【発明の詳細な説明】
【技術分野】
【０００１】
本発明は、吸収ヒートポンプに関するものである。
【背景技術】
【０００２】
一般に、吸収ヒートポンプは、再生器、凝縮器、蒸発器、吸収器を管接続して冷媒循環路及び吸収液循環路を設けると共に冷媒ポンプ及び吸収液ポンプを設置し、前記再生器内を通過する駆動熱源管を設けると共に、前記蒸発器内を通過する熱源水管を設け、更に前記吸収器内を通過した後に前記凝縮器内を通過して負荷に接続された温水管を設けた構成のものである。そして、温水管に供給される温水が、吸収器内を通過する際に、この吸収器に隣接する蒸発器から蒸発して吸収器に流入する冷媒蒸気が吸収液に吸収される時の吸収熱によって温められると共に、凝縮器を通過する際に、この凝縮器に隣接する再生器から蒸発して凝縮器に流入する冷媒蒸気が凝縮する時の凝縮熱によって温められ、温度上昇した温水が例えば暖房機等の負荷に供給されて暖房する。
【０００３】
上記吸収ヒートポンプは、再生器には駆動熱源管を介して例えば高温の蒸気等の熱源流体を供給し、蒸発器には熱源水管を介して例えばボイラ等から排水される温水等の熱源水を供給し、この熱源水が蒸発器を通過する際に、前記冷媒蒸気を介して熱源水から熱を汲み上げて有効利用するものである。
【０００４】
このような吸収ヒートポンプの先行文献としては、例えば特許文献１等がある。
【特許文献１】特開平８−２３３３９１
【発明の開示】
【発明が解決しようとする課題】
【０００５】
前記吸収ヒートポンプにおいては、熱源水から効率良く熱を汲み上げることが重要であるが、暖房機等の負荷が低下しこの負荷から温水管入口側に戻される温水の温度が上昇している時に、前記熱源水の入口側温度が低下してくると当該熱源水から熱を汲み上げられないばかりか、吸収器を通過する温水から逆に蒸発器の熱源水側に放熱することがある。このような放熱現象（以下、逆放熱と称する）が発生すると、ヒートポンプとしての機能が失われるばかりか熱損失になってしまう。
【０００６】
本発明は、上記の逆放熱を防止したいという市場の要求に応えるべくなれたものであり、逆放熱を知らせる警報表示装置を備えた吸収ヒートポンプを提供することを目的とする。
【課題を解決するための手段】
【０００７】
上記の目的を達成するための手段として、本発明の請求項１は、再生器、凝縮器、蒸発器、吸収器を管接続して冷媒循環路及び吸収液循環路を設けると共に冷媒ポンプ及び吸収液ポンプを設置し、前記再生器内を通過する駆動熱源管を設けると共に、前記蒸発器内を通過する熱源水管を設け、更に前記吸収器内を通過した後に前記凝縮器内を通過して負荷に接続された温水管を設けた吸収ヒートポンプにおいて、
前記熱源水管における蒸発器より上流側に熱源水入口温度を検知する熱源水入口側温度センサを設けると共に、蒸発器より下流側に熱源水出口温度を検知する熱源水出口側温度センサを設け、前記熱源水出口温度が熱源水入口温度よりも高くなった時に、逆放熱を知らせる警報表示装置を備えたことを特徴とする。
【０００８】
本発明の請求項２は、再生器、凝縮器、蒸発器、吸収器を管接続して冷媒循環路及び吸収液循環路を設けると共に冷媒ポンプ及び吸収液ポンプを設置し、前記再生器内を通過する駆動熱源管を設けると共に、前記蒸発器内を通過する熱源水管を設け、更に前記吸収器内を通過した後に前記凝縮器内を通過して負荷に接続された温水管を設けた吸収ヒートポンプにおいて、
前記熱源水管における蒸発器より上流側に熱源水入口温度を検知する熱源水入口側温度センサを設けると共に、前記温水管における吸収器より上流側に温水入口温度を検知する温水入口側温度センサを設け、前記熱源水入口温度が温水入口温度よりも一定温度以上低くなった時に、逆放熱を知らせる警報表示装置を備えたことを特徴とする。
【０００９】
本発明の請求項３は、再生器、凝縮器、蒸発器、吸収器を管接続して冷媒循環路及び吸収液循環路を設けると共に冷媒ポンプ及び吸収液ポンプを設置し、前記再生器内を通過する駆動熱源管を設けると共に、前記蒸発器内を通過する熱源水管を設け、更に前記吸収器内を通過した後に前記凝縮器内を通過して負荷に接続された温水管を設けた吸収ヒートポンプにおいて、
前記蒸発器の底部に溜まる冷媒液の温度を検知する冷媒液温度センサと、前記吸収器の底部に溜まる稀吸収液の温度を検知する稀吸収液温度センサを設け、前記蒸発器の冷媒液温度が吸収器の稀吸収液温度よりも一定温度以上低くなった時に、逆放熱を知らせる警報表示装置を備えたことを特徴とする。
【００１０】
本発明の請求項４は、再生器、凝縮器、蒸発器、吸収器を管接続して冷媒循環路及び吸収液循環路を設けると共に冷媒ポンプ及び吸収液ポンプを設置し、前記再生器内を通過する駆動熱源管を設けると共に、前記蒸発器内を通過する熱源水管を設け、更に前記吸収器内を通過した後に前記凝縮器内を通過して負荷に接続された温水管を設けた吸収ヒートポンプにおいて、
前記蒸発器の底部に溜まる冷媒液の温度を検知する冷媒液温度センサと、前記吸収器の底部に溜まる稀吸収液の温度を検知する稀吸収液温度センサと、前記熱源水管における蒸発器より上流側に熱源水入口温度を検知する熱源水入口側温度センサと、前記温水管における吸収器より上流側に温水入口温度を検知する温水入口側温度センサとを設け、前記蒸発器の冷媒液温度と吸収器の稀吸収液温度から吸収器における稀吸収液濃度を算出し、この稀吸収液濃度をパラメータとして、熱源水入口温度と温水入口温度との関係から逆放熱を知らせる警報表示装置を備えたことを特徴とする。
【００１１】
本発明の請求項５は、請求項１乃至４のいずれかの吸収ヒートポンプにおいて、前記再生器内へ駆動熱源を循環する駆動熱源ポンプを停止させると共に、所定時間の稀釈運転を行って停止することを特徴とする。
【発明の効果】
【００１２】
上記請求項１の発明によれば、前記熱源水出口温度が熱源水入口温度よりも高くなった時に、逆放熱を知らせる警報表示装置を備えたので、吸収ヒートポンプの逆放熱を早期に発見することができ、且つ早期に適切に対応することができる。
【００１３】
上記請求項２の発明によれば、前記熱源水入口温度が温水入口温度よりも一定温度以上低くなった時に、逆放熱と判定して警報表示装置を作動させることができる。これにより、吸収ヒートポンプの逆放熱を早期に発見することができ、且つ早期に適切に対応することができる。
【００１４】
上記請求項３の発明によれば、前記蒸発器の冷媒液温度が吸収器の稀吸収液温度よりも一定温度以上低くなった時に、逆放熱と判定して警報表示装置を作動させることができる。これにより、吸収ヒートポンプの逆放熱を早期に発見することができ、且つ早期に適切に対応することができる。
【００１５】
上記請求項４の発明によれば、前記蒸発器の冷媒液温度と吸収器の稀吸収液温度から吸収器における稀吸収液濃度を算出し、この稀吸収液濃度をパラメータとして、熱源水入口温度と温水入口温度との関係から逆放熱を判定して警報表示装置を作動させることができる。これにより、吸収ヒートポンプの逆放熱を早期に発見することができ、且つ早期に適切に対応することができる。
【００１６】
上記請求項５の発明によれば、警報表示装置での報知と共に、吸収ヒートポンプは駆動熱源管を介して再生器へと駆動熱源を循環させる当該駆動熱源管に設けられた駆動熱源ポンプを停止し、冷媒ポンプ及び吸収液ポンプの運転を所定時間継続させる稀釈運転を行うことで、当該吸収ヒートポンプ内を循環する吸収液の結晶を防止して停止状態に至ることができる。
【発明を実施するための最良の形態】
【００１７】
次に、本発明の実施形態を図面に基づいて説明する。図１は、本発明に係る吸収ヒートポンプの第１実施形態を示す構成図である。図１において、１は再生器、２は再生器１に隣接して設けられた凝縮器、３は蒸発器、４は蒸発器３に隣接して設けられた吸収器である。この場合、吸収液として臭化リチウム水溶液が、冷媒として水がそれぞれ使用される。
【００１８】
前記再生器１には、駆動熱源管５を介して例えばボイラから排出された１７０℃程度の蒸気が通過するようにしてあり、前記吸収器４に接続された稀吸収液管６により再生器１に戻される稀吸収液を加熱して冷媒蒸気を蒸発分離させる。
【００１９】
再生器１で蒸発分離した冷媒蒸気は、隣接する凝縮器２で当該凝縮器２内を通過する温水管７の温水に放熱して凝縮し、冷媒液となって凝縮器２の底部に溜まる。前記温水管７は、凝縮器２より上流側が前記吸収器４内を通過するようにしてあり、凝縮器２より下流側は図示を省略した暖房機等の負荷に接続される。
【００２０】
凝縮器２の底部に溜まる冷媒液は、第１冷媒液管８を通って蒸発器３内に供給されて底部に溜まり、この底部に溜まる冷媒液は、冷媒ポンプ９により第２冷媒液管１０を通って蒸発器３内の上部に設けられた冷媒液散布器１１から散布される。
【００２１】
１２は蒸発器３内を通過する熱源水管であり、例えば工場等から排出される温水（４０℃程度）を熱源水として利用し、前記冷媒液散布器１１から散布される冷媒液に放熱して蒸発させ、この放熱により温度が下って蒸発器３から出される。この熱源水管１２の蒸発器３より上流側に熱源水入口温度を検知する熱源水入口側温度センサ１３を設けると共に、蒸発器３より下流側に熱源水出口温度を検知する熱源水出口側温度センサ１４を設けてある。
【００２２】
蒸発器３で蒸発した冷媒蒸気は、隣接する吸収器４内に流入し、前記再生器１で冷媒の蒸発分離により濃度が濃くなった濃吸収液が濃吸収液管１５を通って吸収器４内の上部に設けられた吸収液散布器１６から散布される濃吸収液に吸収されて底部に溜まる。
【００２３】
吸収器４で冷媒蒸気を吸収して濃度が薄くなった稀吸収液は、吸収器４の底部から吸収液ポンプ１７により前記稀吸収液管６を介して再生器１に戻される。稀吸収液管６の途中には熱交換器１８が設けられ、この熱交換器１８において、吸収器４から再生器１に戻る稀吸収液が、再生器１から吸収器４の吸収液散布器１６に供給される濃吸収液との間で熱交換して温められる。
【００２４】
このように構成された吸収ヒートポンプにおいて、前記温水管７の入口側に供給される温水は、吸収器４内を通過する際に蒸発器３側から流入する冷媒蒸気の吸収熱によって温められると共に、凝縮器２を通過する際に再生器１側から流入する冷媒蒸気の凝縮熱により温められることにより、所定の温度（例えば８０℃）に上昇して図示を省略した暖房機等の負荷に供給される。
【００２５】
前記吸収器４で蒸発器３側から流入する冷媒蒸気から熱を汲み上げて吸収ヒートポンプとしての機能を発揮させるが、前記の暖房機等の負荷が低負荷になると、この負荷から温水管７の入口側に戻される温水の温度が高くなる。このような低負荷時において、前記熱源水入口側の熱源水の温度が低下してくると、冷媒蒸気の発生量が減少して熱源水から熱を汲み上げられないばかりか、吸収器４を通過する温水から蒸発器３の熱源水側に放熱することがある。このような逆放熱現象が発生すると、吸収ヒートポンプとしての機能が失われるばかりか熱損失になってしまう。
【００２６】
このような逆放熱現象は、前記熱源水出口側温度センサ１４により検知される熱源水出口温度が、熱源水入口側温度センサ１３により検知される熱源水入口温度よりも高くなった時点で、逆放熱状態になったと判定することができる。この熱源水出口側温度センサ１４及び熱源水入口側温度センサ１３による検知信号は制御装置１９に入力され、この制御装置１９から警報表示装置２０に信号が出力されると、当該警報表示装置２０が警報を表示する。この警報表示としては、例えばパネル等に表示する他に、ブザー音又は光の点滅等による警報手段により表示し、或はそれらを適宜組み合わせて表示することができる。
【００２７】
従来の吸収ヒートポンプはこのような警報表示装置２０がないため、低負荷時に逆放熱状態になってもそれを知ることはできなかったが、この第１実施形態によれば警報表示装置２０の警報によって逆放熱状態を早期に発見することができ、且つ図示を省略した熱源水ポンプを停止して逆放熱を防止する等早期に適切に対応することができる。そして、警報表示装置２０での報知と共に、吸収ヒートポンプは駆動熱源管５を介して再生器１へと駆動熱源を循環させる当該駆動熱源管５に設けられた駆動熱源ポンプ（図略）を停止し、冷媒ポンプ９及び吸収液ポンプ１７の運転を所定時間継続させる稀釈運転を行うことで、当該吸収ヒートポンプ内を循環する吸収液の結晶を防止して停止状態に至るものとなっている。
【００２８】
図２は、本発明に係る吸収ヒートポンプの第２実施形態を示す構成図である。この第２実施形態において、前記第１実施形態と同じ構成要素は前記と同じ符号を付して詳しい説明は省略する。
【００２９】
第２実施形態では、再生器１、凝縮器２、蒸発器３、吸収器４を管接続して冷媒循環路及び吸収液循環路を設けると共に冷媒ポンプ９及び吸収液ポンプ１７を設置し、前記再生器１内を通過する駆動熱源管５を設けると共に、前記蒸発器３内を通過する熱源水管１２を設け、更に前記吸収器４内を通過した後に前記凝縮器２内を通過して暖房機等の負荷に接続された温水管７を設ける。
【００３０】
又、前記熱源水管１２における蒸発器３より上流側に熱源水入口温度を検知する熱源水入口側温度センサ１３を設けると共に、前記温水管７における吸収器４より上流側に温水入口温度を検知する温水入口側温度センサ２１を設け、前記熱源水入口温度が温水入口温度よりも一定温度以上（例えば、実験により知見した３５℃以上）低くなった時に、逆放熱を知らせる警報表示装置２０を備えた構成である。
【００３１】
この場合は、熱源水入口側温度センサ１３により検知される熱源水入口温度が、温水入口側温度センサ２１により検知される温水入口温度よりも一定温度以上低くなった時点で、逆放熱状態になったと判定する。この熱源水入口側温度センサ１３及び温水入口側温度センサ２１による検知信号は制御装置１９に入力され、この制御装置１９から警報表示装置２０に信号が出力されると、当該警報表示装置２０が作動して警報を表示する。この警報は前記と同様に表示することができる。この第２実施形態によれば、警報表示装置２０の警報によって逆放熱状態を早期に発見することができ、且つ図示を省略した熱源水ポンプを停止して逆放熱を防止する等早期に適切に対応することができる。そして、警報表示装置２０での報知と共に、吸収ヒートポンプは駆動熱源管５を介して再生器１へと駆動熱源を循環させる当該駆動熱源管５に設けられた駆動熱源ポンプ（図略）を停止し、冷媒ポンプ９及び吸収液ポンプ１７の運転を所定時間継続させる稀釈運転を行うことで、当該吸収ヒートポンプ内を循環する吸収液の結晶を防止して停止状態に至るものとなっている。
【００３２】
図３は、本発明に係る吸収ヒートポンプの第３実施形態を示す構成図である。この第３実施形態においても、前記第１実施形態と同じ構成要素は前記と同じ符号を付して詳しい説明は省略する。
【００３３】
この第３実施形態では、再生器１、凝縮器２、蒸発器３、吸収器４を管接続して冷媒循環路及び吸収液循環路を設けると共に冷媒ポンプ９及び吸収液ポンプ１７を設置し、前記再生器１内を通過する駆動熱源管５を設けると共に、前記蒸発器３内を通過する熱源水管１２を設け、更に前記吸収器４内を通過した後に前記凝縮器２内を通過して暖房時等の負荷に接続された温水管７を設ける。
【００３４】
又、前記蒸発器３の底部に溜まる冷媒液の温度を検知する冷媒液温度センサ２２と、前記吸収器４の底部に溜まる稀吸収液の温度を検知する稀吸収液温度センサ２３を設け、前記蒸発器３の冷媒液温度が吸収器４の稀吸収液温度よりも一定温度以上（例えば３５℃以上）低くなった時点で、逆放熱状態となったと判定する。この場合、冷媒液温度センサ２２は、第２冷媒液管１０における冷媒ポンプ９より上流側に設け、稀吸収液温度センサ２３は、稀吸収液管６における吸収液ポンプ１７より上流側に設けてある。
【００３５】
上記冷媒液温度センサ２２及び稀吸収液温度センサ２３による検知信号は制御装置１９に入力され、この制御装置１９から警報表示装置２０に信号が出力されると、当該警報表示装置２０が作動して警報を表示する。この警報表示は前記と同様に表示することができる。この第３実施形態によれば、警報表示装置２０の警報によって逆放熱状態を早期に発見することができ、且つ図示を省略した熱源水ポンプを停止して逆放熱を防止する等早期に適切に対応することができる。そして、この場合も警報表示装置２０での報知と共に、吸収ヒートポンプは駆動熱源管５を介して再生器１へと駆動熱源を循環させる当該駆動熱源管５に設けられた駆動熱源ポンプ（図略）を停止し、冷媒ポンプ９及び吸収液ポンプ１７の運転を所定時間継続させる稀釈運転を行うことで、当該吸収ヒートポンプ内を循環する吸収液の結晶を防止して停止状態に至るものとなっている。
【００３６】
図４は、本発明に係る吸収ヒートポンプの第４実施形態を示す構成図である。この第４実施形態においても、前記第１実施形態と同じ構成要素は前記と同じ符号を付して詳しい説明は省略する。
【００３７】
この第４実施形態では、再生器１、凝縮器２、蒸発器３、吸収器４を管接続して冷媒循環路及び吸収液循環路を設けると共に冷媒ポンプ９及び吸収液ポンプ１７を設置し、前記再生器１内を通過する駆動熱源管５を設けると共に、前記蒸発器３内を通過する熱源水管１２を設け、更に前記吸収器４内を通過した後に前記凝縮器２内を通過して負荷に接続された温水管７を設ける。
【００３８】
又、第２冷媒液管１０における冷媒ポンプ９より上流側に、蒸発器３の底部に溜まる冷媒液の温度を検知する冷媒液温度センサ２２を設け、稀吸収液管６における吸収液ポンプ１７より上流側に、吸収器４の底部に溜まる稀吸収液の温度を検知する稀吸収液温度センサ２３を設ける。更に、熱源水管１２における蒸発器３より上流側に、熱源水入口温度を検知する熱源水入口側温度センサ１３を設けると共に、前記温水管７における吸収器４より上流側に温水入口温度を検知する温水入口側温度センサ２１を設ける。
【００３９】
この場合、蒸発器３の冷媒液温度と吸収器４の稀吸収液温度から吸収器４における稀吸収液濃度を算出し、この稀吸収液濃度をパラメータとして、図５に示すように熱源水入口温度と温水入口温度との関係から逆放熱を判定する。例えば、稀吸収液濃度が５７％の場合、熱源水入口温度が３０℃で温水入口温度が６５℃の時、逆放熱限界に当たるので、熱源水入口温度が３０℃以下となるか、温水入口温度が６５℃以上になった時に逆放熱と判定して警報を表示する。各温度センサの検知信号は、制御装置１９に入力され、この制御装置１９での演算から警報表示装置２０に信号が出力されると、当該警報表示装置２０が警報を表示する。この警報表示は前記と同様に表示することができる。この第４実施形態の場合も、警報表示装置２０の警報によって逆放熱状態を早期に発見することができ、且つ図示を省略した熱源水ポンプを停止して逆放熱を防止する等早期に適切に対応することができる。そして、警報表示装置２０での報知と共に、吸収ヒートポンプは駆動熱源管５を介して再生器１へと駆動熱源を循環させる当該駆動熱源管５に設けられた駆動熱源ポンプ（図略）を停止し、冷媒ポンプ９及び吸収液ポンプ１７の運転を所定時間継続させる稀釈運転を行うことで、当該吸収ヒートポンプ内を循環する吸収液の結晶を防止して停止状態に至るものとなっている。
【産業上の利用可能性】
【００４０】
本発明は、吸収ヒートポンプに適用することが可能であり、暖房運転の低負荷時における逆放熱を警報表示することができる。
【図面の簡単な説明】
【００４１】
【図１】本発明に係る吸収ヒートポンプの第１実施形態を示す構成図である。
【図２】本発明に係る吸収ヒートポンプの第２実施形態を示す構成図である。
【図３】本発明に係る吸収ヒートポンプの第３実施形態を示す構成図である。
【図４】本発明に係る吸収ヒートポンプの第４実施形態を示す構成図である。
【図５】第４実施形態において、稀吸収液濃度をパラメータとして熱源水入口温度と温水入口温度との関係から逆放熱領域を示すグラフである。
【符号の説明】
【００４２】
１  再生器
２  凝縮器
３  蒸発器
４  吸収器
５  駆動熱源管
６  稀吸収液管
７  温水管
８  第１冷媒液管
９  冷媒ポンプ
１０  第２冷媒液管
１１  冷媒液散布器
１２  熱源水管
１３  熱源水入口側温度センサ
１４  熱源水出口側温度センサ
１５  濃吸収液管
１６  吸収液散布器
１７  吸収液ポンプ
１８  熱交換器
１９  制御装置
２０  警報表示装置
２１  温水入口側温度センサ
２２  冷媒液温度センサ
２３  稀吸収液温度センサ
【図１】
2010078296.tif 000003
【図２】
2010078296.tif 000004
【図３】
2010078296.tif 000005
【図４】
2010078296.tif 000006
【図５】
2010078296.tif 000007